(57)【要約】      （修正有）【課題】調子記号の♯や♭を気にすることなく誰でも簡単に演奏できるような音列とした鍵盤楽器を提供する。【解決手段】音域は随意であるが、白鍵の音列をＧ♯、Ａ♯、Ｃ、Ｄ、Ｅ、Ｆ♯、Ｇ♯というように隣あう白鍵の音程差を全て、全音によって構成し、白鍵と白鍵との間には全て黒鍵を配し、Ｃの右隣の黒鍵をＣ♯、Ｄの右隣の黒鍵をＤ♯というふうに、黒鍵の音の高さを左隣りの白鍵より半音高くなるような音列として鍵盤楽器を形成する。【選択図】図１
0003181690.tif 000002
【実用新案登録請求の範囲】
【請求項１】
基礎となる音列をホールトーンスケールとし、調子記号を気にすることなく、誰でも簡単に、任意の調で同じように演奏出来ることを特徴としたピアノ、オルガン、電子ピアノ、電子オルガン、キーボード、鍵盤ハーモニカ、マリンンバ、ヴィブラフォン、クロマチックハーモニカ。
【請求項２】
音域は随意であるが、白鍵の音列をＧ♯、Ａ♯、Ｃ、Ｄ、Ｅ、Ｆ♯、Ｇ♯というように隣あう白鍵の音程差を全て、全音によって構成し、白鍵と白鍵との間には全て黒鍵を配し、Ｃの右隣の黒鍵をＣ♯、Ｄの右隣の黒鍵をＤ♯というふうに、黒鍵の音の高さを左隣りの白鍵より半音高くなるような音列とした請求項１に記載のピアノ、オルガン、電子ピアノ、電子オルガン、キーボード、鍵盤ハーモニカ、マリンバ、ヴィブラフォン。
【請求項３】
１穴につき４音のリードが設けられたスライド式のハーモニカ、または１穴につき４音のリードを有し、ハーモニカカバーとハーモニカ本体との間を仕切り板によって幾つかの部屋に隔離し、この隔離した各部屋に吹音用リードと吸音用リードの各対を隔離した構造としたハーモニカであって、音域は随意であるが、上側のリード板の吹音用のリードの音列を、
Ｃ、Ｅ、Ｇ♯、Ｃ、Ｅ、Ｇ♯、Ｃ、Ｅ、Ｇ♯、Ｃ、
と繰り返されるパターンとし、吸音用リードの音列を、
Ｄ、Ｆ♯、Ａ♯、Ｄ、Ｆ♯、Ａ♯、Ｄ、Ｆ♯、Ａ♯、Ｄ
と繰り返されるパターンとし、下側のリードの音列はは吹音、吸音ともに上側のそれよりも半音高くなる音列構造とした請求項１に記載のハーモニカ。
【請求項４】
１穴につき吹音と吸音の２枚のリードを持つハーモニカ、またはハーモニカのカバーと本体との間に、仕切り板を設け、各リードをこの仕切られた各部屋に隔離し、全てのリードを吹音のみで構成した構造のハーモニカであって、音域は随意であるが、上下どちらかのリードの音列を
Ｃ、Ｄ、Ｅ、Ｆ♯、Ｇ♯、Ａ♯、Ｃ、Ｄ、Ｅ、Ｆ♯、Ｇ♯、Ａ♯と隣り合う穴の音程差が全て全音で繰り返されるパターンとし、もう１方のリードの音列をそれらより全て半音高くなるような音列とした請求項１に記載のハーモニカ。
【請求項５】
吹口が上下２段千鳥状に配列され、全て吹音で構成されたアンサンブル用ハーモニカ
あって、音域は随意であるが、下の段は
Ｃ、Ｄ、Ｅ、Ｆ♯、Ｇ♯、Ａ♯、Ｃ、Ｄ、Ｅ、Ｆ♯、Ｇ♯、Ａ♯
と繰り返されるパターンとし、上の段は、左下の穴より半音高くなるような音列とした請求項１に記載のハーモニカ。
【考案の詳細な説明】
【技術分野】
【０００１】    この考案は、調子記号の♯や♭を気にする事なく誰でも容易に全ての調で同じように演奏することができるようにするための、楽器の音の配列に関するものである。
【考案の概要】
【考案が解決しようとする課題】
【０００２】  従来、ピアノなどの楽器はハ長調の音階を基礎とした音列を採用しているため、調が異なると、運指パターンが異なり、同じ長調の音階であってもキーごとに１２の運指パターンを覚える必要があった。これはかなりの修練を必要とし、初心者が楽器を覚えようする場合、かなりの障害となっていた。またピアノなどでは、手の小さい人の場合、オクターブが押さえにくい、または押さえられないなどの問題があった。
【課題を解決するための手段】
【０００３】  基礎となる音列をホールトーンスケールとすることである。これによって課題は２つとも解決される。
【考案の効果】
【０００４】  この考案によって、だれでも、調子記号の♯や♭を気にすることなく、簡単に全ての調での演奏が可能になる。また、ピアノの場合、手の小さな人でも容易にオクターブを押さえることができる。
【図面の簡単な説明】
【０００５】
【図１】ホールトーンスケール配列によるピアノ、オルガンの音列の約２オクターブ分だけを示したものである。電子オルガン、電子ピアノ、キーボード、ビブラフォン、マリンバ、ピアニカなども同様である。
【図２】ホールトーンスケール配列によるピアノの長調の音階の運指パターンを示したものである。白鍵から始まる６つのキーを（ａ）に、黒鍵から始まる６つのキーを（ｂ）に示した。
【図３】ホールトーンスケール配列によるクロマチックハーモニカの音列を示したものであり、（ａ）はスライド式の場合（ｂ）はスライド板を持たないものの場合である。
【図４】吹口を上下２段とした場合のホールトーンスケール配列によるクロマチックハーモニカの音列である。
【図５】１穴につき４枚のリードを有する仕切り板方式によるクロマチックハーモニカの構造を示す。
【図６】吹音用リードのみで構成された仕切り板方式によるクロマチックハーモニカの構造を示す。
【考案を実施するための形態】
【０００６】以下の説明では、音名は英アルファベット、階名は移動度唱法でド、レ、ミと表記することにする。オクターブ関係を明示する必要があるときには、アラビア数字を添えて、Ａ０、Ａ１、Ａ２、などと書く事にする。Ａ０のオクターブ上がＡ１であり、そのさらに上がＡ２である。ピアノの最低音をＡ０とし、最高音をＣ８とした。
ピアノ、オルガンなどの場合の具体的な音列を図１に示す。白鍵の音列を全音音階とした。全音音階は古くからドビュッシーの音楽などで知られた音階で、隣り合う音の音程が全て全音で構成された音階である。半音階を含まないのでどこから始めても同じ構造を持ち、１オクターブが６音からなる。黒鍵はその左隣りの白鍵の半音上とする。この配列によって同じタイプの音階なら２つの運指パターンしか存在しない事になり、移調作業が著しく簡単になった。
具体的にメジャースケールの場合の運指パターンを図２に示した。Ｃの音から始め、（ａ）の運指パターンに従えばＣメジャーのスケールとなり、Ｄから始め、（ａ）の運指パターンに従えば、Ｄメジャーのスケールとなる。Ｅメジャー、Ｆ♯メジャー、Ａ♭メジャー、Ｂ♭メジャー、についてもおなじである。つまり、白鍵から始まるメジャースケールは全て同じ（ａ）の運指パターンを左右にずらすことによって得られる。黒鍵から始まるメジャースケールは全て（ｂ）の運指パターンを左右にずらすことによってえられる。つまり、メジャースケールは（ａ）、（ｂ）２つのパターンを覚えるだけでよいのである。また１オクターブの間隔がこれまでのピアノより鍵盤１つ分短くなり、手の小さい人でも容易にオクターブを押さえる事ができるようになった。オルガン、電子ピアノ、電子オルガン、キーボード、ビブラフォン、マリンバ、ピアニカ、なども同様であるので説明を要しないであろう。
【０００７】  クロマチック・ハーモニカについては現在、３つのタイプが実用化されているので、それらについて順を追って説明しよう。
最も一般的なスライド式のハーモニカの場合を図３（ａ）に示す。１穴に付つき、吹音用リードと吸音用のリードを２対持ち、スライド板の操作によって、どちらか１対だけ音が出るような構造としたハーモニカの場合である。ハーモニカの上に描かれているのが上側のリード板の音列であり、下に描かれているのが下側のリード板の音列である。スライド板をプッシュしない時に音が出せるのは上側のリードであり、スライド板をプッシュした時に音が出せるのは下側のリードである。
スライド板をプッシュしない状態で吹音と吸音を繰り返せば、ホールトーンスケールとなり、スライド板をプッシュすると、吹音、吸音ともに半音高くなる。１０穴で３オクターブ強の音域を確保できるので、非常にコンパクトにできるのが魅力である。従来のクロマチックハーモニカではドの音がオクターブごとに２カ所設けられてるがそれがなくなったことと、ホールトーンスケールでは１オクターブが６音で構成されていることによる。一方、スライド板の操作と、吹音・吸音の操作がはいるので同じメジャースケールであってもキーによって演奏パターンが４つ、つまり、スライド板をプッシュしない時の吹音から始めるパターン、吸音から始めるパターン、スライド板をプッシュした時の吹音から始めるパターン、吸音から始めるパターンの４種となり、演奏はピアノの場合に比べ少し難しくなっている。
またこのハーモニカでは上下の音列を互いに入れ替えても機能は同じである。
【００１１】  スライド板を使用しないハーモニカの場合を図３（ｂ）に示した。吹音がホールトーンスケールとなっており、息を吸うと半音高くなる。穴の間隔をテンホールズ・ハーモニカと同じ７．５ｍｍに取るならポケットにすっぽり入るコンパクトなクロマチック・ハーモニカが出来る。穴の数を１９穴とするなら通常のクロマチック・ハーモニカと同じく３オクターブの音域を得る事が出来、サイズもそれほど大きくはないであろう。
【０００９】吹口が上下２段となっている場合を「図４」に示した。アンサンブル用で全て吹音で構成されている。下段がピアノの白鍵に相当し、上段が黒鍵に相当する。音の配列はピアノと同じであるので詳しい説明は不要であろう。
【００１２】  図３（ａ）のタイプはスライド式によらないでも図５のような構造のハーモニカで構成することもできる。１穴につき上側に吹音用リード７と吸音用リード８、下側に吹音用リード９と吸音用リード１０とが設けられ、上側のハーモニカカバー２と上側のリード板４との間が、仕切り板１１によって、下側のハーモニカカバー３と下側のリード板５との間が、仕切り板１２によって、それぞれ仕切られており、この仕切られた上側の各部屋に吹音用リード７と吸音用リード８とが１対ずつ、下側の各部屋に吹音用リード９と吸音用リード１０とが１対ずつ隔離されている。ハーモニカカバーには上下とも穴のようなものはなく、通常のハーモニカ同様、後部に開口部１４がある。吹口１３から息を吹く、または吸ったとき、この開口部１４からのみ空気が出入りできるようになっている。これによって、開口部の下側を指で押さえれば、上側のリードにみ音が出せるようになり、開口部の上側を指で押さえれば、下側のリードのみ音が出せるようになる。これは機能的にはスライド式ハーモニカと同じである。構造がスライド式に比べ簡単であるから、価格も安く、メインテナンスも容易である。
図３（ｂ）のタイプは吹音と吸音とによって構成されているが、図６のような構造のハーモニカで吹音のみで構成することもできる。構造は図５で述べたものと類似であり、異なるのは１穴につき上下に吹音用リード１９が２枚設けられていることと、仕切られた各部屋に各リードが１枚ずつ隔離されていることだけである。後部の開口部の上か下を押さえることにより、上下どちらのリードを振動させるか選択する。吹音のみで構成されているので、非常に速いパッセージが演奏できる。また上下の開口部の任意の音だけを選択的にミュートしながら吹くことによって任意の音程の重音を吹くこともできる。例えば、
上側のリードが、Ｃ  Ｄ  Ｅ
下側のリードが、Ｃ♯  Ｄ♯  Ｆ
となっているところを、上のＤ、Ｅ、と下のＣ♯、Ｄ♯をミュートしながら（これらの音に対応する後部の開口部を指で塞ぎながら）これらを含む３穴を吹けば、４度の重音が吹け、上のＤ、と下のＣ♯、Ｄ♯、Ｆをミュートしながら吹けば、長３度の重音が吹ける。他の音程も同様である。これは従来のクロマチックハーモニカでは出来なかった著しい特徴である。このハーモニカもまた、上下の音列を互いに入れ替えても機能は同じである。
【記号の説明】
【００１３】１  ハーモニカ
２  上側のハーモニカカバー
３  下側のハーモニカカバー
４  上側のリード板
５  下側のリード板
６  ハーモニカボディ（コム）
７  上側の吹音用リード
８  上側の吸音用リード
９  下側の吹き音用リード
１０  下側の吸音用リード
１１  上側の仕切り板
１２  下側の仕切り板
１３  吹口
１４  開口部
１５  上側のハーモニカカバー
１６  下側のハーモニカカバー
１７  上側のリード板
１８  下側のリード板
１９  吹音用リード
２０  仕切り
２１  吹口
２２  開口部
【図１】
0003181690.tif 000003
【図２】
0003181690.tif 000004
【図３】
0003181690.tif 000005
【図４】
0003181690.tif 000006
【図５】
0003181690.tif 000007
【図６】
0003181690.tif 000008
【手続補正書】
【提出日】平成24年11月20日(2012.11.20)
【手続補正１】
【補正対象書類名】実用新案登録請求の範囲
【補正対象項目名】全文
【補正方法】変更
【補正の内容】
【実用新案登録請求の範囲】
【請求項１】
音域は随意であるが、白鍵の音列をＧ♯、Ａ♯、Ｃ、Ｄ、Ｅ、Ｆ♯、Ｇ♯というように隣あう白鍵の音程差を全て、全音によって構成し、白鍵と白鍵との間には全て黒鍵を配し、Ｃの右隣の黒鍵をＣ♯、Ｄの右隣の黒鍵をＤ♯というふうに、黒鍵の音の高さを左隣りの白鍵より半音高くなるような音列とした鍵盤楽器。
【請求項２】
音域は随意であるが、手前の振動木片または振動鉄片の音列を
Ｇ♯、Ａ♯、Ｃ、Ｄ、Ｅ、Ｆ♯、Ｇ♯というように隣あうものの音程差を全て、全音によって構成し、手前の振動木片または振動鉄片の間には全て後部の振動木片または振動鉄片を配し、その音の高さを、左隣りの手前の振動木片または振動鉄片より半音高くした鍵盤打楽器。
【請求項３】
１穴につき４音のリードが設けられたスライド式のハーモニカ、または１穴につき４音のリードを有し、ハーモニカカバーとハーモニカ本体との間を仕切り板によって幾つかの部屋に隔離し、この隔離した各部屋に吹音用リードと吸音用リードの各対を隔離した構造としたハーモニカであって、音域は随意であるが、上側のリード板の吹音用のリードの音列を、
Ｃ、Ｅ、Ｇ♯、Ｃ、Ｅ、Ｇ♯、Ｃ、Ｅ、Ｇ♯、Ｃ、
と繰り返されるパターンとし、吸音用リードの音列を、
Ｄ、Ｆ♯、Ａ♯、Ｄ、Ｆ♯、Ａ♯、Ｄ、Ｆ♯、Ａ♯、Ｄ
と繰り返されるパターンとし、下側のリードの音列はは吹音、吸音ともに上側のそれよりも半音高くなる音列構造としたクロマチックハーモニカ。
【請求項４】
１穴につき吹音と吸音の２枚のリードを持つハーモニカ、またはハーモニカのカバーと本体との間に、仕切り板を設け、各リードをこの仕切られた各部屋に隔離し、全てのリードを吹音のみで構成した構造のハーモニカであって、音域は随意であるが、上下どちらかのリードの音列を
Ｃ、Ｄ、Ｅ、Ｆ♯、Ｇ♯、Ａ♯、Ｃ、Ｄ、Ｅ、Ｆ♯、Ｇ♯、Ａ♯と隣り合う穴の音程差が全て全音で繰り返されるパターンとし、もう１方のリードの音列をそれらより全て半音高くなるような音列としたクロマチックハーモニカ。
【請求項５】
吹口が上下２段千鳥状に配列され、全て吹音で構成されたアンサンブル用ハーモニカあって、音域は随意であるが、下の段は
Ｃ、Ｄ、Ｅ、Ｆ♯、Ｇ♯、Ａ♯、Ｃ、Ｄ、Ｅ、Ｆ♯、Ｇ♯、Ａ♯
と繰り返されるパターンとし、上の段は、左下の穴より半音高くなるような音列としたクロマチックハーモニカ。